(57)【要約】      （修正有）【課題】高品質な汚泥かき寄せ装置を提供する。【解決手段】汚泥かき寄せ装置は、池底部１ｆに設けられたガイドレール１１と、ガイドレール１１に沿って往復移動することで、池底部１ｆに沈殿した汚泥をかき寄せ面１２ａでかき寄せる複数のかき寄せ部材１２と、複数のかき寄せ部材１２それぞれとガイドレール１１との間にかき寄せ部材１２毎に配置された複数の摺接部材１４とを備え、摺接部材１４は、ガイドレール１１を構成する材料と同一の耐摩耗性を有する材料またはガイドレール１１を構成する材料よりも耐摩耗性が劣る材料で構成されたものである。【選択図】図３
2020032417.tif 000002
【特許請求の範囲】
【請求項１】
受け入れた水に含まれている汚泥が池底部に沈殿する沈殿池に設けられ、該池底部に沈殿した汚泥をかき寄せる汚泥かき寄せ装置において、
前記池底部に設けられたガイドレールと、
前記ガイドレールに沿って往復移動することで、該池底部に沈殿した汚泥をかき寄せ面でかき寄せる複数のかき寄せ部材と、
前記複数のかき寄せ部材それぞれと前記ガイドレールとの間に該かき寄せ部材毎に配置された複数の摺接部材とを備え、
前記摺接部材は、前記ガイドレールを構成する材料と同一の耐摩耗性を有する材料または該ガイドレールを構成する材料よりも耐摩耗性が劣る材料で構成されたものであることを特徴とする汚泥かき寄せ装置。
【請求項２】
前記かき寄せ部材は、該かき寄せ部材の往復移動方向に間隔をあけて配置されたものであり、
前記摺接部材は、前記往復移動方向の長さが該往復移動方向に隣り合う前記かき寄せ部材の前記かき寄せ面間の距離以下の長さのものであることを特徴とする請求項１記載の汚泥かき寄せ装置。
【発明の詳細な説明】
【技術分野】
【０００１】
本発明は、受け入れた水に含まれている汚泥が池底部に沈殿する沈殿池に設けられ、該池底部に沈殿した汚泥をかき寄せる汚泥かき寄せ装置に関する。
【背景技術】
【０００２】
沈殿池の池底部に設けられたガイドレールに沿って往復移動するかき寄せ部材を備えた、いわゆるレシプロ式の汚泥かき寄せ装置が知られている。かき寄せ部材は、往復移動方向に間隔をあけて複数配置されている。複数のかき寄せ部材が往復移動することで、池底部に沈殿した汚泥は、往復移動方向に段階的にかき寄せられていく。その汚泥かき寄せ装置には、ガイドレールとの摩擦を低減する目的で、ガイドレールとかき寄せ部材の間に、かき寄せ部材が往復移動する際にガイドレールと摺接する摺接部材が設けられているものがある。また、この汚泥かき寄せ装置の中には、各かき寄せ部材を連結する連結部材としても摺接部材が機能しているものもある。連結部材としても機能している摺接部材は、複数のかき寄せ部材にまたがって往復移動方向に延在し、各かき寄せ部材を連結している。
【０００３】
摺接部材を備えた汚泥かき寄せ装置では、摺接部材がガイドレールと摺接しているうちに、その摺接部材が摩耗してしまうことがある。摺接部材は、摩耗することで強度が低下し、かき寄せ部材の一部が破断してしまうことがある。摺接部材が連結部材としても機能している汚泥かき寄せ装置では、摺接部材の一部が破断すると、各かき寄せ部材を連結する連結機能が得られなくなってしまうという問題がある。
【０００４】
この問題を解決するために、摺接部材と連結部材とを別部材で構成した汚泥かき寄せ装置が提案されている（例えば、特許文献１参照）。この特許文献１に記載された汚泥かき寄せ装置は、かき寄せ部材、かき寄せ部材よりも池底側に配置された連結部材、および連結部材とガイドレールとの間に配置された摺接部材を備えている。
【先行技術文献】
【特許文献】
【０００５】
【特許文献１】特開２０１０−５８００５号公報
【発明の概要】
【発明が解決しようとする課題】
【０００６】
しかしながら、さらに高品質な汚泥かき寄せ装置が望まれている。
【０００７】
本発明は、高品質な汚泥かき寄せ装置を提供することを目的とする。
【課題を解決するための手段】
【０００８】
上記目的を解決する本発明の汚泥かき寄せ装置は、受け入れた水に含まれている汚泥が池底部に沈殿する沈殿池に設けられ、該池底部に沈殿した汚泥をかき寄せる汚泥かき寄せ装置において、
前記池底部に設けられたガイドレールと、
前記ガイドレールに沿って往復移動することで、該池底部に沈殿した汚泥をかき寄せ面でかき寄せる複数のかき寄せ部材と、
前記複数のかき寄せ部材それぞれと前記ガイドレールとの間に該かき寄せ部材毎に配置された複数の摺接部材とを備え、
前記摺接部材は、前記ガイドレールを構成する材料と同一の耐摩耗性を有する材料または該ガイドレールを構成する材料よりも耐摩耗性が劣る材料で構成されたものであることを特徴とする。
【０００９】
また、本発明の汚泥かき寄せ装置において、前記かき寄せ部材は、該かき寄せ部材の往復移動方向に間隔をあけて配置されたものであり、
前記摺接部材は、前記往復移動方向の長さが該往復移動方向に隣り合う前記かき寄せ部材の前記かき寄せ面間の距離以下の長さのものであってもよい。
【発明の効果】
【００１０】
本発明の汚泥かき寄せ装置によれば、高品質な汚泥かき寄せ装置を提供することができる。
【図面の簡単な説明】
【００１１】
【図１】本発明の一実施形態である汚泥かき寄せ装置が設置された沈殿池の側断面図である。
【図２】図１に示す沈殿池を上方からみた平面図である。
【図３】（ａ）は、図２のＡ−Ａ断面図であり、（ｂ）は、図３（ａ）のＤ−Ｄ断面図である。
【図４】（ａ）は、図２のＣ−Ｃ断面図であり、（ｂ）は、（ａ）のＥ−Ｅ断面図である。
【図５】（ａ）は、汚泥かき寄せ装置の第１変形例を示す図であり、（ｂ）は、（ａ）のＦ−Ｆ断面図である。
【図６】（ａ）は、汚泥かき寄せ装置の第２変形例を示す図であり、（ｂ）は、（ａ）のＧ−Ｇ断面図である。
【図７】（ａ）は、汚泥かき寄せ装置の第３変形例を示す図であり、（ｂ）は、（ａ）のＨ−Ｈ断面図である。
【発明を実施するための形態】
【００１２】
以下、図面を参照して本発明の実施の形態を説明する。本実施形態の汚泥かき寄せ装置は、沈殿池の池底部に設けられたガイドレールに沿って往復移動するかき寄せ部材を備えた、いわゆるレシプロ式の汚泥かき寄せ装置である。
【００１３】
図１は、本発明の一実施形態である汚泥かき寄せ装置が設置された沈殿池の側断面図である。この図１では、沈殿池１の長手方向中央部分が省略して示されている。
【００１４】
図１に示す沈殿池１は、上流壁１ａと、下流壁１ｃと、一対の側壁１ｄによって囲まれた、平面視で略長方形状をした池である。この沈殿池１は、長手方向の一端側（図１では左側）にある導水渠１ｅから汚水や雨水といった下水を受け入れ、受け入れた下水に含まれる汚泥を池底部１ｆに沈殿させ、他端側（図１では右側）から排水する。以下、図１における左側を上流側と称し、図１における右側を下流側と称することがある。また、図１において紙面に直交する方向を池幅方向と称することがある。なお、沈殿池１の池底部１ｆは、上流側に向かうに従って沈殿池１の水深が増加するように少しだけ傾斜した傾斜面になっている。
【００１５】
図１に示すように、この沈殿池１には、本実施形態の汚泥かき寄せ装置１０と汚泥ピット５０が設けられている。汚泥ピット５０は沈殿池１の上流側部分に設けられている。汚泥ピット５０にかき寄せられた汚泥は、図示しない汚泥ポンプによって沈殿池１の外部に排出される。
【００１６】
本実施形態の汚泥かき寄せ装置１０は、池底部１ｆに固定されたガイドレール１１と、複数のかき寄せ部材１２と、複数のかき寄せ部材１２を連結した連結部材１３（図２参照）と、かき寄せ部材１２毎に配置された複数の摺接部材１４（図３参照）と、かき寄せ部材１２を往復移動させる駆動機構１５とを備えている。
【００１７】
駆動機構１５は、モータ１５１と、モータ１５１の回転駆動力を往復動作に変換する変換機１５２と、変換機１５２の出力軸に一端が固定された往復ロッド１５３と、往復ロッド１５３の下端に取り付けられた三角形状リンク１５４と、三角形状リンク１５４を回転自在に支持したリンク支持体１５５と、プルロッド１５６と、三角形状リンク１５４とプルロッド１５６を連結する連結板１５７とを備えている。
【００１８】
モータ１５１は、地上に配置されている。このモータ１５１は、両方向に回転可能なモータである。モータ１５１が一方方向に回転することで、往復ロッド１５３は池底側に向かう方向に進出移動する。また、モータ１５１が他方方向に回転することで、往復ロッド１５３は池底側から離間する方向に後退移動する。往復ロッド１５３が、進退移動すると、三角形状リンク１５４は矢印Ｐの方向に揺動する。三角形状リンク１５４が揺動すると、連結板１５７によって三角形状リンク１５４に連結されたプルロッド１５６が、池底部１ｆに固定されたガイドレール１１に沿って上流側と下流側に往復移動する。プルロッド１５６には、複数のかき寄せ部材１２が取り付けられている。プルロッド１５６が往復移動することで、各かき寄せ部材１２は、ガイドレール１１に沿って上流側と下流側に往復移動する。すなわち、変換機１５２、往復ロッド１５３、三角形状リンク１５４、プルロッド１５６によって、モータ１５１の回転が、かき寄せ部材１２の往復運動に変換される。
【００１９】
各かき寄せ部材１２は、その往復移動方向に均等あるいは略均等の間隔で配置されている。かき寄せ部材１２それぞれは、沈殿池１の池幅方向に延在したものである。かき寄せ部材１２の往復移動のストロークは、かき寄せ部材１２が配置された往復移動方向の間隔以上の距離に設定されている。沈殿池１に沈殿した汚泥は、かき寄せ部材１２の往復移動により汚泥ピット５０側に１ストロークづつ段階的にかき寄せられ、汚泥ピット５０に送り込まれる。
【００２０】
図２は、図１に示す沈殿池を上方からみた平面図である。なお、この図２では、プルロッド１５６と連結板１５７以外の駆動機構１５を構成する部材は図示省略している。また、沈殿池１の長手方向中央部分が省略して示されている。
【００２１】
ガイドレール１１は、沈殿池１の長手方向に延在した超高分子量ポリエチレン製のものである。本実施形態では、図２に示すように、池幅方向中央部と池幅方向両端部の計３本のガイドレール１１が沈殿池１の池底部１ｆに固定されている。プルロッド１５６は、池幅方向中央部に配置され、かき寄せ部材１２の往復移動方向に延在している。また、連結部材１３は、池幅方向両端部それぞれに１つづつ配置されている。この連結部材１３は、所定の剛性を有する平板状のものである。この連結部材１３それぞれは、複数のかき寄せ部材１２が配置された往復移動方向の全長にわたって延在し、複数のかき寄せ部材１２全てを連結している。各かき寄せ部材１２が池幅方向両端側部分において連結部材１３によって連結されているので、各かき寄せ部材１２が池幅方向両側部分において一体化されてかき寄せ部材１２全体として剛性が高まる。こうすることで、各かき寄せ部材１２の池幅方向両端側部分が往復移動方向に撓んでしまったり、各かき寄せ部材１２が池幅方向に対して傾斜してしまうことを抑制できる。かき寄せ部材１２が撓んだり傾斜してしまうと、池幅方向端側に汚泥のかき残しが生じてしまう虞がある。プルロッド１５６と連結部材１３は、三角形状のアーム２１で結合されており、プルロッド１５６が往復移動することで、２つの連結部材１３も往復移動する。
【００２２】
図３（ａ）は、図２のＡ−Ａ断面図であり、図３（ｂ）は、図３（ａ）のＤ−Ｄ断面図である。なお、図２のＢ−Ｂ断面はＡ−Ａ断面と同一の構成であるため、説明は省略する。
【００２３】
図３（ａ）に示すように、かき寄せ部材１２は、上流側に設けられ池底部１ｆに沈殿した汚泥を汚泥ピット５０側にかき寄せるかき寄せ面１２ａと、下流側に設けられ汚泥を乗り上げさせる傾斜面１２ｂとを有している。かき寄せ面１２ａは、下流側にへこんだ円弧状に形成されている。かき寄せ部材１２が上流側に移動する際には、そのかき寄せ面１２ａが汚泥を汚泥ピット５０側にかき寄せる。一方、傾斜面１２ｂは、下流側に向かってかき寄せ部材１２が先細になるように、池底部１ｆ側に傾斜している。かき寄せ部材１２が下流側に移動する際には、その傾斜面１２ｂを汚泥が乗り越えることで、かき寄せ面１２ａでかき寄せられた位置に汚泥の大部分を留まらせることができる。このかき寄せ部材１２は、曲げ加工したステンレス製の板で構成されている。
【００２４】
２つの連結部材１３それぞれは、かき寄せ部材１２よりも上に配置されている。この連結部材１３は、図２に示すプルロッド１５６および三角形状のアーム２１を介して駆動機構１５からの駆動力をかき寄せ部材１２に伝達し、かき寄せ部材１２を往復移動させる機能も有する。連結部材１３には、所定の間隔をあけて複数の取付板１３１が溶接されている。この連結部材１３および取付板１３１は、ステンレス製の板で構成されている。かき寄せ部材１２は、傾斜面１２ｂの一部が取付板１３１に溶接されることで、取付板１３１を介して連結部材１３に固定されている。
【００２５】
かき寄せ部材１２の池底側部分にはプレート１２１が溶接されている。プレート１２１には、沈殿池１の上方から見て沈殿池１の長手方向に長い長方形をした摺接部材１４が、２つの雄ネジ３１によって着脱自在に取り付けられている。この摺接部材１４は、各かき寄せ部材１２毎に、かき寄せ部材１２とガイドレール１１との間に配置されている。摺接部材１４は、かき寄せ部材１２の往復移動方向の長さＭが、往復移動方向に隣り合うかき寄せ部材１２のかき寄せ面１２ａ間の距離Ｌ以下の長さに形成された、超高分子量ポリエチレン製のものである。図３（ａ）に示すように、本実施形態では、摺接部材１４の上記往復移動方向の長さＭは、かき寄せ面１２ａ間の距離Ｌに対して約１／４の長さである。
【００２６】
この摺接部材１４は、ナイロンなどの他の樹脂製の材料で形成してもよく、金属製の材料で形成してもよい。ただし、樹脂製の材料で形成すれば、軽量化でき、後述する摺接部材１４の交換作業の作業効率を高めることができる。また、摺接部材１４は、耐摩耗性がガイドレール１１を構成する材料の耐摩耗性と同一或いはそれよりも劣る材料で形成されていることが好ましい。特に、汚泥に含まれる砂などの無機成分に対する耐摩耗性が劣る材料で摺接部材１４が形成されていることが好ましい。こうすることで、摺接によってガイドレール１１が摩耗してしまうことを抑制できる。なお、汚泥に含まれる砂などの無機物に対する耐摩耗性は、高い順に、超高分子量ポリエチレン、ナイロン、四フッ化エチレン、炭素綱、ステンレス綱、高密度ポリエチレン、ポリプロピレン、ポリアセタール、フェノール積層材である。硬度が低い材料は、その材料で構成された部材の表面に砂などの無機物が食い込み、その食い込んだ無機物により部材が保護されて摩耗し難くなることがある。このため、硬度が低い材料でも、砂などの無機物に対する耐摩耗性は高いものがある。例えば合流式下水道の汚水を処理する沈殿池１のように、砂などの無機物が多く流入する可能性がある沈殿池１では、砂などの無機物が食い込みやすい材料で形成された摺接部材１４或いはガイドレール１１を用いることが好ましい。逆に、例えば分流式下水道の汚水を処理する沈殿池１のように、砂などの無機物が流入する可能性が低い沈殿池１では、摺接部材１４およびガイドレール１１を、耐摩耗性の低い安価な材質のものにしても構わない。また、摺接部材１４は、その長手方向の全長でガイドレール１１に接触しているのに対し、ガイドレール１１は、往復移動方向に隣り合う摺接部材１４の間の部分では摺接部材１４と非接触になっている。本実施形態では、ガイドレール１１は、距離Ｌのうち約１／４は摺接部材１４と接触するが、残る約３／４は非接触になっている。このため、ガイドレール１１の材料と摺接部材１４の材料の耐摩耗性が同一である場合でも、ガイドレール１１は摺接部材１４よりも摩耗しにくい。
【００２７】
また、本実施形態では、樹脂製の雄ネジ３１を用いている。金属製の雄ネジ３１を使用しても構わないが、金属製の雄ネジ３１を使用した場合、摺接部材１４が摩耗してその厚みが減少したときに、雄ネジ３１の先端がガイドレール１１に接触してガイドレール１１を傷つけてしまう虞がある。樹脂製の雄ネジ３１を用いることで、雄ネジ３１の先端がガイドレール１１に接触しても、ガイドレール１１が傷ついてしまう虞を低減できる。ガイドレール１１が傷ついてしまう虞をより低減するために、雄ネジ３１は、ガイドレール１１を構成する材料の耐摩耗性と同一或いはそれよりも劣る材料で形成されていることが好ましい。
【００２８】
図４（ａ）は、図２のＣ−Ｃ断面図であり、図４（ｂ）は、図４（ａ）のＥ−Ｅ断面図である。
【００２９】
この図４に示されている、ガイドレール１１、かき寄せ部材１２、摺接部材１４、プレート１２１、取付板１３１は、図３で説明したものと同一のものであるので、以下の説明では、同一の符号を付して説明を省略することがある。図４に示すように、プルロッド１５６は、沈殿池１の長手方向に延在した中空四角柱形状のステンレス製のものである。このプルロッド１５６には、所定の間隔をあけて複数の取付板１３１が溶接されている。かき寄せ部材１２は、傾斜面１２ｂの一部が取付板１３１に溶接されることで、取付板１３１に固定されている。
【００３０】
次に、摺接部材１４の交換作業について説明する。摺接部材１４が摩耗した場合、摩耗した摺接部材１４をプレート１２１に取り付けている２つの雄ネジ３１を外し、その摺接部材１４をプレート１２１から取り外す。その後、そのプレート１２１に新しい摺接部材１４を雄ネジ３１で取り付けることで交換作業が完了する。
【００３１】
以上、説明したように、本実施形態の汚泥かき寄せ装置１０によれば、摺接部材１４は、かき寄せ部材１２の往復移動方向の長さＭが、往復移動方向に隣り合うかき寄せ部材１２のかき寄せ面１２ａ間の距離Ｌ以下の長さであるので、交換部品である摺接部材１４が安価になる。また、摺接部材１４を小さく軽くすることができるので交換作業の作業性を高めることができる。また、摺接部材１４は、かき寄せ部材１２の往復移動方向の長さＭが短いので、摩耗していない部分まで交換が必要になってしまう可能性を低減することができる。また、かき寄せ部材１２よりも上に全ての連結部材１３を配置しているので、かき寄せ部材１２と摺接部材１４の間に連結部材１３を配置した場合と比較して、連結部材１３の厚み分だけかき寄せ部材１２を池底部１ｆに近接して配置できる。かき寄せ部材１２を池底部１ｆに近接して配置することで、池底部１ｆに沈殿した汚泥のかき残しを少なくすることができる。また、かき寄せ部材１２よりも上に連結部材１３を配置しているので、池底部１ｆに沈殿した汚泥と連結部材１３が接触する可能性が低くなり、その汚泥によって連結部材１３が摩耗してしまう虞を低減できる。また、摺接部材１４を軽量な樹脂製の材料で形成しているので、容易に交換作業を行うことができる。また、ガイドレール１１は、かき寄せ部材１２の往復移動方向に波打ち状に変形し、摺接部材１４が摺接する摺接面に、かき寄せ面１２ａ間の距離Ｌよりも長いピッチの凹凸が生じてしまうことがある。本実施形態の汚泥かき寄せ装置１０は、かき寄せ部材１２毎に摺接部材１４を配置しているので、その場合でも、かき寄せ部材１２の重量によりガイドレール１１の摺接面の凹凸形状に各かき寄せ部材１２がある程度追従し、かき寄せ部材１２が池底部１ｆから離間することを抑制することができる。また、複数のかき寄せ部材１２にまたがって、摺接部材１４がかき寄せ部材１２の往復移動方向に延在していると、その複数のかき寄せ部材１２の総重量が摺接部材１４をガイドレール１１に押し付ける荷重として作用し、ガイドレール１１の凸部がある部分に摺接した摺接部材１４の一部で極端な偏摩耗を生じる虞がある。本実施形態では、かき寄せ部材１２毎に摺接部材１４を配置しているので、各かき寄せ部材１２の重量は、そのかき寄せ部材１２毎に配置された個々の摺接部材１４をガイドレール１１に押し付ける荷重として作用し、極端な偏摩耗が起こりにくい。
【００３２】
続いて、本実施形態の変形例について説明する。以下の説明では、これまで説明した構成要素の名称と同じ名称の構成要素には、これまで用いた符号と同じ符号を付して説明を省略することがある。
【００３３】
図５（ａ）は、汚泥かき寄せ装置の第１変形例を示す図であり、図５（ｂ）は、図５（ａ）のＦ−Ｆ断面図である。
【００３４】
第１変形例では、先の実施形態と比較して、連結部材１３および取付板１３１の形状と、かき寄せ部材１２と取付板１３１との取付構造と、摺接部材１４が取付板１３１に取り付けられている点とが異なる。図５（ｂ）に示すように、この変形例の連結部材１３は、断面形状が左右を逆にしたＬ字状に形成されている。図５（ａ）に示すように、かき寄せ部材１２は、ボルト３２の先端部分が差し込まれることで、取付板１３１に着脱自在に取り付けられている。そのボルト３２は、ナット３３との間で取付板１３１を挟み込むことで取付板１３１に固定されている。また、摺接部材１４は、雄ネジ３１により取付板１３１に着脱自在に取り付けられている。摺接部材１４を取付板１３１に取り付けることで、先の実施形態に対して、プレート１２１を省略している。取付板１３１は、溶接により連結部材１３に固定されている。この第１変形例では、先の実施形態の効果に加え、かき寄せ部材１２と摺接部材１４を分解した状態で工場から沈殿池１まで運ぶことができるといった効果がある。また、かき寄せ部材１２と摺接部材１４を容易に組み立てることができるといった効果がある。
【００３５】
図６（ａ）は、汚泥かき寄せ装置の第２変形例を示す図であり、図６（ｂ）は、図６（ａ）のＧ−Ｇ断面図である。
【００３６】
第２変形例では、第１変形例と比較して、摺接部材１４の材質と、取付板１３１と摺接部材１４との取付構造が異なる。この第２変形例の摺接部材１４は、ステンレス製の板材の表面にニッケルクローム系やタングステンカーバイト系などの摩耗しにくい材料で構成された硬化層が設けられた耐摩耗板で形成されている。また、摺接部材１４は、部分的にタップ溶接されることで取付板１３１に取り付けられている。なお、タップ溶接した部分を引き剥がすことで、摺接部材１４は、取付板１３１から取り外すことができる。この第２変形例では、第１の変形例の効果に加え、雄ネジ３１が省略できるといった効果がある。また、摺接部材１４が摩耗したときに、雄ネジ３１の先端がガイドレール１１に接触してガイドレール１１を傷つけてしまう虞がないといった効果がある。なお、図１に示す三角形状リンク１５４が接続されている連結板１５７の近傍では、かき寄せ部材１２を池底部１ｆ側に押し付ける荷重が強くなりやすい。逆に、連結板１５７から離れた位置では、かき寄せ部材１２を池底部１ｆ側に押し付ける荷重は弱くなりやすい。この荷重が強い部分では、荷重が弱い部分と比較して摺接部材１４が早く摩耗しやすい。この摩耗しやすい位置に配置された摺接部材１４に耐摩耗板などの耐摩耗性の高いものを用い、摩耗しにくい位置に配置された摺接部材１４は、耐摩耗板よりも耐摩耗性の劣った、例えば硬化層が形成されていないステンレス製の部材を用いてもよい。
【００３７】
図７（ａ）は、汚泥かき寄せ装置の第３変形例を示す図であり、図７（ｂ）は、図７（ａ）のＨ−Ｈ断面図である。
【００３８】
第３変形例では、第２変形例と比較して、取付板１３１の形状と、取付板１３１とかき寄せ部材１２との取付構造と、取付板１３１と連結部材１３との取付構造が異なる。この変形例の取付板１３１は、図７（ｂ）に示すように、Ｌ字状をした板材で構成されている。図７（ａ）に示すように、取付板１３１には、かき寄せ部材１２が挿通された切欠き１３１ａが形成されている。かき寄せ部材１２は、傾斜面１２ｂの一部が取付板１３１に溶接されることで、取付板１３１に固定されている。取付板１３１は、部分的にタップ溶接されることで連結部材１３に取り付けられている。この第３変形例では、第２変形例に対して、取付板１３１の池幅方向の幅が、取付板１３１の板厚の幅と同一の薄いものであるので、かき寄せ部材１２が下流側に移動する際に、取付板１３１によって汚泥をかき寄せ方向と反対方向に押し戻してしまう量を極わずかにすることができるという効果がある。
【００３９】
本発明は上述の実施の形態に限られることなく特許請求の範囲に記載した範囲で種々の変更を行うことが出来る。例えば、本実施形態では、３本のガイドレール１１を設けているが、ガイドレール１１は何本であっても構わない。また、本実施形態では、２本の連結部材１３を設けているが、連結部材１３は何本であっても構わない。また、本実施形態では、かき寄せ部材１２を、取付板１３１を介して連結部材１３に固定しているが、かき寄せ部材１２を連結部材１３に直接固定しても構わない。なお、以上説明した各変形例の記載それぞれにのみ含まれている構成要件であっても、その構成要件を他の変形例に適用してもよい。
【００４０】
これまでに説明した汚泥かき寄せ装置は、受け入れた水に含まれている汚泥が池底部に沈殿する沈殿池に設けられ、該池底部に沈殿した汚泥をかき寄せる汚泥かき寄せ装置において、
前記池底部に設けられたガイドレールと、
前記ガイドレールに沿って往復移動することで、該池底部に沈殿した汚泥をかき寄せ面でかき寄せる複数のかき寄せ部材と、
前記複数のかき寄せ部材それぞれと前記ガイドレールとの間に該かき寄せ部材毎に配置された複数の摺接部材とを備え、
前記かき寄せ部材は、該かき寄せ部材の往復移動方向に間隔をあけて配置されたものであり、
前記摺接部材は、前記往復移動方向の長さが該往復移動方向に隣り合う前記かき寄せ部材の前記かき寄せ面間の距離以下の長さの板状のものであることを特徴とする。
【００４１】
従来の汚泥かき寄せ装置の摺接部材は、複数のかき寄せ部材にまたがってかき寄せ部材の往復移動方向に延在している。このため、偏摩耗が生じた摺接部材を新しい摺接部材（以下、交換部品と称することがある）に交換する際には、偏摩耗が生じている部分だけでなく摩耗していない部分も含む交換部品が必要になり交換部材が高価になるといった問題がある。また、交換部品が大きく重くなり交換作業が繁雑になるといった問題もある。
【００４２】
上記汚泥かき寄せ装置によれば、摺接部材の長さが上記間隔以下であるので、摺接部材を交換する際の交換部品が安価になる上に、交換作業の作業性を高めることができる。
【００４３】
また、上記汚泥かき寄せ装置において、前記複数のかき寄せ部材が往復移動する方向に延在し、各かき寄せ部材を連結した連結部材を備え、
前記連結部材は、前記かき寄せ部材よりも上に配置されたものであってもよい。
【００４４】
かき寄せ部材を連結部材の厚み分だけ池底部に近接して配置することが可能になり、汚泥のかき残しをさらに少なくすることができる。また、池底部に沈殿した汚泥によって連結部材が摩耗することを抑制できる。
【００４５】
前記連結部材は、前記複数のかき寄せ部材が配置された前記往復移動方向の全長にわたって延在したものであってもよい。
【００４６】
また、上記汚泥かき寄せ装置において、前記連結部材は、池幅方向両端側部分それぞれに設けられたものであることが好ましい。
【００４７】
各かき寄せ部材が池幅方向両端側部分において連結部部材によって連結されているので、各かき寄せ部材が往復移動方向に撓んでしまうことを抑制できる。
【００４８】
以下、これまで説明したことを含めて付記する。
【００４９】
（付記１）
他の汚泥かき寄せ装置は、受け入れた水に含まれている汚泥が池底部に沈殿する沈殿池に設けられ、該池底部に沈殿した汚泥をかき寄せる汚泥かき寄せ装置において、
前記池底部に沈殿した汚泥を往復移動することでかき寄せる複数のかき寄せ部材と、
前記かき寄せ部材を往復移動させる駆動力を発生する駆動力発生部と、
池幅方向中央部において前記かき寄せ部材の往復移動方向に延在し、前記駆動力を前記かき寄せ部材に伝えるロッド部材と、
前記池幅方向両端部それぞれに１つずつ配置され、それぞれが所定の剛性を有する平板状のものであって前記複数のかき寄せ部材が配置された往復移動方向の全長にわたって延在し、前記複数のかき寄せ部材全てを連結している連結部材と、
前記ロッド部材と前記連結部材を結合する三角形状のアームからなる結合部材とを備え、
前記ロッド部材、前記連結部材および前記結合部材は、前記かき寄せ部材よりも上に配置されていることを特徴とする。
【００５０】
（付記２）
受け入れた水に含まれている汚泥が池底部に沈殿する沈殿池に設けられ、該池底部に沈殿した汚泥をかき寄せる汚泥かき寄せ装置において、
前記池底部に沈殿した汚泥を往復移動することでかき寄せる複数のかき寄せ部材と、
前記かき寄せ部材を往復移動させる駆動力を発生する駆動力発生部と、
池幅方向中央部において前記かき寄せ部材の往復移動方向に延在し、前記駆動力を前記かき寄せ部材に伝えるロッド部材と、
一端側から前記駆動力を受け、他端側が前記ロッド部材に連結し該駆動力を該ロッド部材に斜め上方向から伝える連結板と、
前記池幅方向両端部それぞれに１つずつ配置され、それぞれが所定の剛性を有する平板状のものであって前記複数のかき寄せ部材が配置された往復移動方向の全長にわたって延在し、前記複数のかき寄せ部材全てを連結している連結部材と、
前記ロッド部材と前記連結部材を結合する三角形状のアームからなる結合部材とを備え、
前記かき寄せ部材が、前記池底部に沈殿した汚泥を往路方向にかき寄せるかき寄せ面と、該かき寄せ面よりも復路方向側に設けられ、該かき寄せ面によってかき寄せられた汚泥が該かき寄せ部材が該復路方向に移動する際に乗り越える傾斜面とを有するものであり、
前記ロッド部材、前記連結部材および前記結合部材は、前記かき寄せ部材よりも上に配置されており、
前記結合部材が、前記ロッド部材における、前記連結板が結合した箇所の近傍から前記往路方向側に拡がるように延在したものであることを特徴とする汚泥かき寄せ装置。
【００５１】
ここで、前記駆動力発生部は、モータを備えたものであってもよいし、前記ロッド部材は、前記複数のかき寄せ部材が取り付けられるプルロッドであってもよい。
【００５２】
また、前記かき寄せ部材が、前記池幅方向に延在したものであり、
前記連結部材が、前記ロッド部材よりも前記池幅方向一端側において前記往復移動方向に延在した第１連結部材、および該ロッド部材よりも、該池幅方向他端側において該往復移動方向に延在した第２連結部材を有するものであり、
前記結合部材が、前記ロッド部材、前記第１連結部材および前記第２連結部材の３つの部材を結合するものであってもよい。
【００５３】
また、前記結合部材は、前記ロッド部材に対して斜めに延在したアームと、該ロッド部材に対して直交する方向に延在したアームとを有し、該ロッド部材、前記第１連結部材および前記第２連結部材の３つの部材を三角形状に結合するものであってもよい。
【００５４】
次に、上記特許文献１に記載された汚泥かき寄せ装置について記載する。特許文献１に記載された汚泥かき寄せ装置ででは、摺接部材が摩耗して破断することがあっても、連結部材が破断しない限り連結機能は維持することができる。
【００５５】
しかしながら、ガイドレールや摺接部材は、往復移動方向に波打ち状に変形していることがある。波打ち状に変形していると、摺接部材の一部分のみがガイドレールと摺接してしまい、摺接部材の他の部分はガイドレールから浮き上がってしまうことがある。摺接部材の一部分のみがガイドレールと摺接していると、その一部分が集中的に摩耗する偏摩耗が生じることがある。
【００５６】
そこで、偏摩耗が生じることを低減させることができる汚泥かき寄せ装置を提供することが望まれている。
【００５７】
（付記３）
この望みを解決する汚泥かき寄せ装置は、受け入れた水に含まれている汚泥が池底部に沈殿する沈殿池に設けられ、該池底部に沈殿した汚泥をかき寄せる汚泥かき寄せ装置において、
前記池底部の池幅方向一端側に設けられた第１ガイドレールと、
前記池底部の池幅方向他端側に設けられた第２ガイドレールと、
池幅方向に延在し、池幅方向一端側が前記第１ガイドレールの上を該第１ガイドレールに沿って移動し、池幅方向他端側が前記第２ガイドレールの上を該第２ガイドレールに沿って移動することで、前記池底部に沈殿した汚泥をかき寄せ面でかき寄せる、移動方向に間隔をあけて配置された複数のかき寄せ部材と、
前記かき寄せ面よりも上で前記かき寄せ部材の移動方向に延在し、前記第１ガイドレールの上で前記複数のかき寄せ部材を連結した第１連結部材と、
前記かき寄せ面よりも上で前記かき寄せ部材の移動方向に延在し、前記第２ガイドレールの上で前記複数のかき寄せ部材を連結した第２連結部材と、
前記複数のかき寄せ部材それぞれと前記第１ガイドレールとの間に該かき寄せ部材毎に配置された板状の第１摺接部材と、
前記複数のかき寄せ部材それぞれと前記第２ガイドレールとの間に該かき寄せ部材毎に配置された板状の第２摺接部材とを備え、
前記かき寄せ部材は、前記第１摺接部材の上では、前記かき寄せ面が、前記第１連結部材と前記第１ガイドレールの間に位置し、前記第２摺接部材の上では、前記かき寄せ面が、前記第２連結部材と前記第２ガイドレールの間に位置するものであることを特徴とする。
【００５８】
この汚泥かき寄せ装置において、前記かき寄せ部材を往復移動させる駆動力を発生する駆動力発生部と、
池幅方向中央部において前記かき寄せ部材の往復移動方向に延在し、前記駆動力を前記かき寄せ部材に伝えるロッド部材と、
前記ロッド部材と前記第１連結部材を結合するとともに該ロッド部材と前記第２連結部材も結合する結合部材とを備えていてもよい。
【００５９】
（付記４）
以上説明した汚泥かき寄せ装置は、受け入れた水に含まれている汚泥が池底部に沈殿する沈殿池に設けられ、該池底部に沈殿した汚泥をかき寄せる汚泥かき寄せ装置において、
前記池底部に沈殿した汚泥を往復移動することでかき寄せる複数のかき寄せ部材と、
前記かき寄せ部材の往復移動方向に延在し、該かき寄せ部材を往復移動させる駆動力を該かき寄せ部材に伝えるロッド部材と、
一端側から前記駆動力を受け、他端側が前記ロッド部材に連結し該駆動力を該ロッド部材に伝える連結板と、
池幅方向両端部それぞれに１つずつ配置され、それぞれが所定の剛性を有するものであって前記複数のかき寄せ部材が配置された往復移動方向の全長にわたって延在し、前記複数のかき寄せ部材全てを連結している連結部材と、
前記ロッド部材と前記連結部材を結合する結合部材とを備え、
前記結合部材が、前記ロッド部材における、前記連結板が結合した箇所の近傍から前記往路方向側に拡がるように延在したものであることを特徴としてもよい。
【００６０】
また、この汚泥かき寄せ装置において、前記連結板は、前記駆動力を前記ロッド部材に斜め上方向から伝えるものであってもよい。
【符号の説明】
【００６１】
１    沈殿池
１ｆ    池底部
１０    汚泥かき寄せ装置
１１    ガイドレール
１２    かき寄せ部材
１２ａ    かき寄せ面
１３    連結部材
１４    摺接部材
１５    駆動機構
Ｌ    かき寄せ面間の距離
Ｍ    摺接部材の長さ
【図１】
2020032417.tif 000003
【図２】
2020032417.tif 000004
【図３】
2020032417.tif 000005
【図４】
2020032417.tif 000006
【図５】
2020032417.tif 000007
【図６】
2020032417.tif 000008
【図７】
2020032417.tif 000009